(57)【要約】【課題】スクロール操作における利便性を向上させることが可能な表示制御装置、表示制御方法及び表示制御プログラムを提供する。【解決手段】本発明に係る、タッチパネル部２を備える表示制御装置１００は、表示制御部４と、受付部２１とを備える。前記表示制御部４は、タッチパネル部２にスクロールバー２２２とスライダー２２１とを表示する。前記受付部２１は、スクロールバー２２２に対するタッチ操作を受け付ける。前記タッチ操作は、第１タッチ位置２２３への操作と第２タッチ位置２２４への操作とを含む。前記表示制御部４は、第１タッチ位置２２３と第２タッチ位置２２４とに基づいて、スライダー２２１が選択されたか否かを判定する。【選択図】図２
2019160161.tif 000002
【特許請求の範囲】
【請求項１】
タッチパネル部を備える表示制御装置であって、
前記タッチパネル部にスクロールバーとスライダーとを表示する表示制御部と、
前記スクロールバーに対するタッチ操作を受け付ける受付部と
を備え、
前記タッチ操作は、第１タッチ位置への操作と第２タッチ位置への操作とを含み、
前記表示制御部は、前記第１タッチ位置と前記第２タッチ位置とに基づいて、前記スライダーが選択されたか否かを判定する、表示制御装置。
【請求項２】
前記表示制御部は、前記スライダーが前記タッチ位置と前記第２タッチ位置とに基づいて選択された事実を示す表示を行う、請求項１に記載の表示制御装置。
【請求項３】
前記表示制御部は、前記スライダーが選択されたと判定された場合に、前記第１タッチ位置と前記第２タッチ位置との少なくとも一方の位置におけるタッチ操作の移動に伴って、前記スライダーを移動させる、請求項１または２に記載の表示制御装置。
【請求項４】
前記受付部は、一の組のタッチ操作と他の組のタッチ操作とを受け付け、
前記表示制御部は、前記一の組のタッチ操作における前記第１タッチ位置と前記第２タッチ位置との距離と、前記他の組のタッチ操作における前記第１タッチ位置と前記第２タッチ位置との距離が異なる場合は、前記一の組のタッチ操作の移動に伴って移動するスライダーの移動速度と、前記他の組のタッチ操作の移動に伴って移動するスライダーの移動速度とは異なるように、前記スライダーの移動を制御する、請求項３に記載の表示制御装置。
【請求項５】
前記表示制御部は、前記一の組のタッチ操作に係る前記距離より、前記他の組のタッチ操作に係る前記距離の方が長い場合は、前記一の組のタッチ操作の移動に伴って移動するスライダーの移動速度より、前記他の組のタッチ操作の移動に伴って移動するスライダーの移動速度が遅くなるように、前記スライダーの移動を制御する、請求項４に記載の表示制御装置。
【請求項６】
タッチパネル部を備える表示制御装置を制御するプログラムをコンピューターに実行させる表示制御プログラムであって、
前記タッチパネル部にスクロールバーとスライダーとを表示する表示制御ステップと、
前記スクロールバーに対するタッチ操作を受け付ける受付ステップと
を含み、
前記タッチ操作は、第１タッチ位置への操作と第２タッチ位置への操作とを有し、
前記表示制御ステップでは、前記第１タッチ位置と前記第２タッチ位置とに基づいて、前記スライダーが選択されたか否かを判定する、表示制御プログラム。
【請求項７】
タッチパネル部を備える表示制御装置における表示制御方法であって、
前記タッチパネル部にスクロールバーとスライダーとを表示する表示制御ステップと、
前記スクロールバーに対するタッチ操作を受け付ける受付ステップと
を含み、
前記タッチ操作は、第１タッチ位置への操作と第２タッチ位置への操作とを有し、
前記表示制御ステップでは、前記第１タッチ位置と前記第２タッチ位置とに基づいて、前記スライダーが選択されたか否かを判定する、表示制御方法。
【発明の詳細な説明】
【技術分野】
【０００１】
本発明は、表示制御装置、表示制御プログラム及び表示制御方法に関する。
【背景技術】
【０００２】
従来、表示装置においては、表示部に表示されている画像等が表示対象の全体の画像等の中でどの位置にあるのかを示すために、スクロールバーと、スライダーとを表示させるものがある。また、スクロールバーを利用し、表示装置の操作性を高めるための発明も種々提案されている（例えば、特許文献１参照）。
【先行技術文献】
【特許文献】
【０００３】
【特許文献１】特開２００４−１３９３２１号公報
【発明の概要】
【発明が解決しようとする課題】
【０００４】
しかしながら、スマートフォン等の携帯機器においては、表示対象の画像等が多量にあるために、スライダーが狭小に表示される場合がある。この場合は、スライダーを的確に操作することが困難となり、スクロール操作における利便性が損なわれる。
【０００５】
本発明は上記課題に鑑みてなされたものであり、スクロール操作における利便性を向上させることが可能な表示制御装置、表示制御プログラム及び表示制御方法を提供することを目的とする。
【課題を解決するための手段】
【０００６】
本発明に係る表示制御装置は、タッチパネル部を備える表示制御装置であって、表示制御部と、受付部とを備える。前記表示制御部は、タッチパネル部にスクロールバーとスライダーとを表示する。前記受付部は、スクロールバーに対するタッチ操作を受け付ける。前記タッチ操作は、第１タッチ位置への操作と第２タッチ位置への操作とを含む。前記表示制御部は、第１タッチ位置と第２タッチ位置とに基づいて、スライダーが選択されたか否かを判定する。
【０００７】
本発明に係る表示制御プログラムは、タッチパネル部を備える表示制御装置を制御するプログラムをコンピューターに実行させる表示制御プログラムであって、表示制御ステップと、受付ステップとを含む。前記表示制御ステップでは、タッチパネル部にスクロールバーとスライダーとを表示する。前記受付ステップでは、スクロールバーに対するタッチ操作を受け付ける。前記タッチ操作は、第１タッチ位置への操作と第２タッチ位置への操作とを有している。前記表示制御ステップでは、第１タッチ位置と第２タッチ位置とに基づいて、スライダーが選択されたか否かを判定する。
【０００８】
本発明に係る表示制御方法は、タッチパネル部を備える表示制御装置を制御する表示制御方法であって、表示制御ステップと、受付ステップとを含む。前記表示制御ステップでは、タッチパネル部にスクロールバーとスライダーとを表示する。前記受付ステップでは、スクロールバーに対するタッチ操作を受け付ける。前記タッチ操作は、第１タッチ位置への操作と第２タッチ位置への操作とを有している。前記表示制御ステップでは、第１タッチ位置と第２タッチ位置とに基づいて、スライダーが選択されたか否かを判定する。
【発明の効果】
【０００９】
本発明によれば、スクロール操作における利便性を向上させることが可能になる。
【図面の簡単な説明】
【００１０】
【図１】本発明の実施形態に係る表示制御装置を示す図である。
【図２】表示部の画面におけるタッチ操作の一例を示す図である。
【図３】表示部の画面におけるタッチ操作の他の例を示す図である。
【図４】タッチ操作における指間距離を説明するための図である。
【図５】指間距離に応じてスライダーのスクロール速度を設定するための画面例である。
【図６】タッチ操作における指間距離とスクロール速度との関係を示す模式図である。
【図７】表示制御部におけるタッチ操作の制御を示すフローチャートである。
【発明を実施するための形態】
【００１１】
以下、本発明の実施形態について、図面を参照しながら説明する。なお、図中、同一または相当部分については同一の参照符号を付して説明を繰り返さない。
【００１２】
まず、図１〜図７を参照して本発明の実施形態に係る表示制御装置１００について説明する。図１は、本発明の実施形態に係る表示制御装置１００を示す図である。図２は、表示部の画面におけるタッチ操作の一例を示す図である。
【００１３】
表示制御装置１００は、表示装置または表示機能を有する電子機器の一部として用いられる。表示制御装置１００は、例えば、スマートフォンまたはパソコンの一部として用いられる。表示制御装置１００は、タッチパネル部２と、記憶部３と、表示制御部４とを備える。図１に示すＹ軸は、タッチパネル部２の長辺と平行である。Ｙ軸は、左右方向を示す。Ｘ軸は、タッチパネル部２の短辺と平行である。Ｘ軸は、上下方向を示す。
【００１４】
タッチパネル部２は、ユーザーから指示を受け付ける。また、タッチパネル部２は、画像を表示する。タッチパネル部２は矩形状を有していてもよい。タッチパネル部２は、受付部２１と、表示部２２とを含む。図２に示すように、表示部２２は、スクロール操作のためのスクロールバー２２２及びスライダー２２１の表示を含む。
【００１５】
受付部２１は、透明であり、表示部２２に重なるように配置されている。受付部２１は、ユーザーによる操作を介して種々の指示を受け付ける。特に、受付部２１は、ユーザーから、複数の指を用いたスライダー２２１の操作を可能にするマルチタッチ操作（以下、「タッチ操作」という。）を受け付ける。ここで、「タッチ操作」には、「スライダー選択操作」と「スライダー移動操作」とが含まれる。
【００１６】
「スライダー選択操作」とは、ユーザーの２本の指でスライダー２２１の両側の２点の位置をタッチすることによって、スライダー２２１を選択する操作をいう。より詳細には、ユーザーの２本の指によってタッチされた２点を結ぶ直線上にスライダー２２１がある場合に、表示制御部４が、スライダー２２１は「選択状態にある」と決定する。スライダー選択操作は、例えば、人差し指と親指とで行う。
【００１７】
「スライダー移動操作」とは、選択状態にあるスライダー２２１の両側のタッチされた２点をユーザーがスライドさせる操作をいう。この場合、一方の点の位置を「第１タッチ位置」といい、他方の点の位置を「第２タッチ位置」という。より詳細には、スライダー２２１の選択状態において、ユーザーがスクロールバー２２２に沿ってスライダー２２１を挟むように２本の指でスライドさせる操作を行った場合は、この２本の指の移動と共にスライダー２２１が移動する。スライダー移動操作は、例えば、第１タッチ位置２２３と第２タッチ位置２２４とを人差し指と親指とでスライドすることで実現でき、第１タッチ位置２２３または第２タッチ位置２２４を何れかの指でスライドすることによっても実現できる。
【００１８】
受付部２１は、ユーザーによるスライダー選択操作を介して、一方の指のタッチによって特定される第１タッチ位置２２３と、他方の指のタッチによって特定される第２タッチ位置２２４とを受け付ける。さらに、受付部２１は、選択されたスライダー２２１に対して、ユーザーからスライダー移動操作を受け付ける。
【００１９】
表示部２２は、画面を含み、画面に任意の画像を表示する。表示部２２は、液晶表示装置であってもよく、有機ＥＬ表示装置であってもよい。ユーザーは表示部２２の画面に表示された画像を視認しながら、受付部２１を介して指示を入力することができる。
【００２０】
記憶部３は、制御プログラムと、画像などのデータとを記憶する。制御プログラムは、例えば、表示制御部４の動作を制御するプログラムを含む。
【００２１】
記憶部３は、例えば、ハードディスク、ＲＯＭ（Ｒｅａｄ  Ｏｎｌｙ  Ｍｅｍｏｒｙ）またはＲＡＭ（Ｒａｎｄｏｍ  Ａｃｃｅｓｓ  Ｍｅｍｏｒｙ）を含む。ＲＯＭは、例えば、フラッシュメモリー等のＰＲＯＭ（Ｐｒｏｇｒａｍｍａｂｌｅ  ＲＯＭ）である。ＲＡＭは、例えば、ＤＲＡＭ（Ｄｙｎａｍｉｃ  ＲＡＭ）である。さらに、記憶部３は、ソリッドステートドライブ（Ｓｏｌｉｄ  Ｓｔａｔｅ  Ｄｒｉｖｅ：ＳＳＤ）を備えていてもよい。
【００２２】
表示制御部４は、記憶部３に記憶されている制御プログラムを実行することにより、表示制御装置１００全体の動作を制御する。特に、表示制御部４は、タッチパネル部２の受付部２１と表示部２２とを制御する。表示制御部４は、ＣＰＵ（Ｃｅｎｔｒａｌ  Ｐｒｏｃｅｓｓｉｎｇ  Ｕｎｉｔ）のようなプロセッサーによって構成されてもよい。また、表示制御部４は、表示制御装置１００を動作させる集積回路を備えていてもよい。表示制御装置１００の集積回路は、例えば、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）によって構成されてもよい。
【００２３】
表示制御部４は、ユーザーから受け付けた第１タッチ位置２２３と第２タッチ位置２２４とに基づいて、スライダー２２１が選択されたか否かを判定する。さらに、表示制御部４は、選択されたと判定したスライダー２２１について、選択された事実を示す表示を行ってもよい。スライダー２２１が選択されたと判定した場合は、例えば、第１タッチ位置２２３と第２タッチ位置２２４とスライダー２２１とについて、表示する色を変更して表示してもよい。
【００２４】
さらに、表示制御装置１００は、受付部２１を介して２組のタッチ操作を受け付けることも可能である。その際、表示制御部４は、１組目のタッチ操作における第１タッチ位置２２３と第２タッチ位置２２４との距離である第１距離と、２組目の第１タッチ位置２２３と第２タッチ位置２２４との距離である第２距離とが異なる場合は、１組目のタッチ操作の移動に伴って移動するスライダー２２１の移動速度と、２組目のタッチ操作の移動に伴って移動するスライダー２２１の移動速度とは異なるように、スライダー２２１の移動を制御する。
【００２５】
より詳細には、表示制御部４は、１組目のタッチ操作によって特定された第１距離より、２組目のタッチ操作によって特定された第２距離の方が長い場合は、１組目のタッチ操作の移動に伴って移動するスライダー２２１の移動速度より、２組目のタッチ操作の移動に伴って移動するスライダー２２１の移動速度が遅くなるように、スライダー２２１の移動を制御する。
【００２６】
表示制御部４は、スライダー２２１が選択されたと判定された場合に、第１タッチ位置２２３と第２タッチ位置２２４との少なくとも一方の位置におけるタッチ操作の移動に伴って、スライダー２２１とを移動させるように制御する。
【００２７】
次に、図２及び図３を参照して、タッチ操作について具体的に説明する。図３は、表示部の画面におけるタッチ操作の他の例を示す図である。まず、タッチ操作を行う際の前提となる文書選択画面について説明する。
【００２８】
表示制御部４は、表示部２２に文書選択画面を表示するように表示部２２を制御する。文書選択画面には、複数の画像データが表示される。具体的には、文書選択画面には、フォルダー画像２３０と、複数の文書画像２４０とが表示される。さらに、文書選択画面には、スライダー２２１と、スクロールバー２２２とが表示される。
【００２９】
フォルダー画像２３０は、フォルダーに関する情報を表示する画像である。フォルダー画像２３０には、ユーザーによって選択されたフォルダーの名前（例えば、「ユーザーＢＯＸ」）と、文書画像２４０の番号２３１と、フォルダーに収容されている文書画像２４０の総数２３２とを含む。文書画像２４０の番号２３１は、スライダー２２１の位置に応じて変更される数値である。文書画像２４０の総数２３２は、フォルダーに収容されている文書画像２４０の数に応じて変更される数値である。
【００３０】
さらに、表示制御部４は、表示部２２が文書選択画面にスライダー２２１とスクロールバー２２２とを表示するように、表示部２２を制御する。また、表示制御部４は、文書選択画面において、ユーザーによるスクロール操作に応じてスライダー２２１を上下方向に移動させるように、表示部２２を制御する。表示制御部４は、スライダー２２１を、矩形状のスクロールバー２２２の内部に表示する。
【００３１】
スライダー２２１は、スクロールバー２２２の内部をＸ軸方向に移動する。スライダー２２１をＸ軸方向に移動させることで、文書選択画面に表示する文書画像２４０をＸ軸方向にスクロールさせながら変更することができる。また、スクロールバー２２２がＹ軸方向に表示される場合、スライダー２２１は、スクロールバー２２２の内部をＹ軸方向に移動する。スライダー２２１をＹ軸方向に移動させることで、文書選択画面に表示する文書画像２４０をＹ軸方向にスクロールさせながら変更することができる。
【００３２】
表示制御部４は、表示部２２がスライダー２２１の位置に対応する文書画像２４０を文書選択画面に表示するように、表示部２２を制御する。この結果、スライダー２２１のスクロール操作によって、ユーザーの望む文書画像２４０を探すことが可能となる。
【００３３】
次に、タッチ操作について説明する。図２に示すように、受付部２１は、文書選択画面において、ユーザーからスライダー選択操作を受け付ける。受付部２１は、スクロールバー２２２の内部に表示されているスライダー２２１の上下を挟むようなスライダー選択操作を受け付けたことにより、第１タッチ位置２２３と第２タッチ位置２２４とを受け付けている。
【００３４】
ユーザーからスライダー選択操作を受け付けると、表示制御部４は、第１タッチ位置２２３と第２タッチ位置２２４とを結ぶ直線上にスライダー２２１があるか否かを判定する。図２の例においては、表示制御部４は、第１タッチ位置２２３と第２タッチ位置２２４とを結ぶ直線上にスライダー２２１があると判定し、スライダー２２１の「選択」を決定する。ここで、表示制御部４は、「選択された」事実を明示すべく、選択されたスライダー２２１と、第１タッチ位置２２３（例えば、第１タッチ位置２２３を示す●）と、第２タッチ位置２２４（例えば、第２タッチ位置２２４を示す●）とを表示する色を変更して表示してもよい。
【００３５】
図３に示すように、文書選択画面において、表示制御部４は、受付部２１を介してユーザーからスライダー移動操作を受け付ける。図３には、図２において選択されたスライダー２２１が示されている。受付部２１は、スクロールバー２２２の内部に表示されているスライダー２２１を下方にスライドさせるスライダー移動操作を受け付けている。これにより、表示制御部４は、スライダー２２１の表示位置を、図２に示されるスライダー２２１より下位に表示するように制御している。
【００３６】
さらに、図３に示すように、表示制御部４は、受け付けたスライダー移動操作によるスライダー２２１の移動に連動させて、文書選択画面に表示される文書画像２４０をスクロールし、文書９〜文書１２から文書４１〜文書４４を表示するように制御する。
【００３７】
図４を参照して、タッチ操作におけるスライダーの指間距離について説明する。図４は、タッチ操作におけるスライダーの指間距離を説明するための図である。図４（ａ）は、指間距離（以下、単に「幅」ともいう。）ＷＡのタッチ操作を示す図である。図４（ａ）に示すように、スライダー２２１を人差し指と親指との間で挟むようにタッチ操作を行う。例えば、人差し指と親指との間の距離が指間距離ＷＡである。なお、受付部２１は、人差し指の位置を第１タッチ位置２２３として受け付け、親指の位置を第２タッチ位置２２４として受け付ける。
【００３８】
図４（ｂ）は、指間距離ＷＢのタッチ操作を示す図である。なお、図４（ｂ）における指間距離ＷＢは、図４（ａ）の指間距離ＷＡに比べて長く、指間距離ＷＢ＞指間距離ＷＡである。なお、図４（ｃ）は、従来のスライダーの操作方法であり、スライダー２２１を１本の指で直接タッチ（以下、「旧操作」または「シングル」ともいう。）してスライド操作を行う様子を示す。
【００３９】
図５を参照して、スライダーのスクロール速度の設定について説明する。図５は、指間距離に応じてスライダー２２１のスクロール速度を設定するための画面である。図５は、指間距離が異なる２種類のタッチ操作によってスライダー２２１を移動させる場合のスクロール速度を設定するための画面である。
【００４０】
図５に示すように、表示制御部４は、指間距離ＷＡのタッチ操作によるスクロール速度ＶＡと、指間距離ＷＢのタッチ操作によるスクロール速度ＶＢについて、それぞれ設定を行う。なお、表示制御部４は、旧操作におけるスクロール速度を「１００」とした場合に、指間距離が短くなるに従ってスクロール速度を１００に近づけ、指間距離が長くなるに従ってスクロール速度を０に近づけるように設定してもよい。
【００４１】
図６を参照して、タッチ操作における指間距離とスクロール速度との関係を説明する。図６は、タッチ操作における指間距離とスクロール速度との関係を模式的に示す。図６において、横軸は指間距離（幅）を示し、縦軸はスライダー２２１のスクロール速度を示している。図６に示すように、表示制御部４は、２本の指を用いてタッチ操作を行わない「旧操作」によるスクロール速度ＶＳが最も速く、指間距離が長い（すなわち、幅ＷＢの）場合のスクロール速度ＶＢが、最も遅くなるように決定する。従って、幅ＷＢ＞幅ＷＡ＞旧操作の関係を有する場合のそれぞれのスクロール速度は、スクロール速度ＶＢ＜スクロール速度ＶＡ＜スクロール速度ＶＳという関係を有している。
【００４２】
なお、指間距離とスクロール速度との関係を規定した曲線を予め定義しておいてもよい。さらに、受け付けたスライダー移動操作の指間距離が設定時から変化した場合であっても、受け付けたスライダー移動操作の指間距離に基づいてスクロール速度を逐次決定するように構成してもよい。
【００４３】
図２、図３及び図７を参照して、表示制御部４におけるタッチ操作の制御について説明する。図７は、表示制御部４におけるタッチ操作の制御を示すフローチャートである。図７に示すように、表示制御部４は、ステップＳ１〜ステップＳ１５の処理を実行することによって、スライダー２２１を選択し、スライダー２２１の移動を制御する。
【００４４】
ステップＳ１：受付部２１は、ユーザーによるタッチ操作（具体的にはスライダー選択操作）を受け付け、第１タッチ位置２２３と第２タッチ位置２２４とを特定する。処理は、ステップＳ３に進む。
【００４５】
ステップＳ３：表示制御部４は、ユーザーからスライダー選択操作を受け付けた時点におけるスライダー２２１の位置を特定する。処理は、ステップＳ５に進む。
【００４６】
ステップＳ５：表示制御部４は、第１タッチ位置２２３と第２タッチ位置２２４とを結ぶ直線上にスライダー２２１があるか否かを判定する。第１タッチ位置２２３と第２タッチ位置２２４とを結ぶ直線上にスライダー２２１があると表示制御部４が判定した場合は（ステップＳ５でＹｅｓ）、処理は、ステップＳ７に進む。第１タッチ位置２２３と第２タッチ位置２２４とを結ぶ直線上にスライダー２２１がないと表示制御部４が判定した場合は（ステップＳ５でＮｏ）、処理は、ステップＳ１に戻る。
【００４７】
ステップＳ７：表示制御部４は、スライダー２２１の選択状態を確定し、処理は、ステップＳ９に進む。
【００４８】
ステップＳ９：表示制御部４は、他にタッチ操作があるか否かを判定する。他にタッチ操作があると表示制御部４が判定した場合は（ステップＳ９でＹｅｓ）、処理は、ステップＳ１に戻る。他にタッチ操作がないと表示制御部４が判定した場合は（ステップＳ９でＮｏ）、処理は、ステップＳ１１に進む。
【００４９】
ステップＳ１１：表示制御部４は、タッチ操作（具体的にはスライダー選択操作）毎のスクロール速度を決定し、処理は、ステップＳ１３に進む。
【００５０】
ステップＳ１３：表示制御部４は、タッチ操作の移動（具体的にはスライダー移動操作）があるか否かを判定する。タッチ操作の移動があると表示制御部４が判定した場合は（ステップＳ１３でＹｅｓ）、処理は、ステップＳ１５に進む。タッチ操作の移動がないと表示制御部４が判定した場合は（ステップＳ１３でＮｏ）、タッチ操作の移動があるまで待機する。
【００５１】
ステップＳ１５：表示制御部４は、タッチ操作の移動（具体的にはスライダー移動操作）と連動させてスライダー２２１を移動させるように制御する。
【００５２】
図１〜図７を参照して説明したように、スライダー２２１を「選択」することによって、スライダー２２１に直接タッチしなくてもスクロール操作を可能にしたので、狭小なスライダー２２１が画面に表示された場合であっても、スライダー２２１の容易な操作を可能にし、スクロール操作における利便性を向上させことができる。
【００５３】
以上、図面（図１〜図７）を参照しながら本発明の実施形態について説明した。但し、本発明は、上記の実施形態に限られるものではなく、その要旨を逸脱しない範囲で種々の態様において実施することが可能である。また、上記の実施形態に開示されている複数の構成要素を適宜組み合わせることによって、種々の発明の形成が可能である。例えば、実施形態に示される全構成要素から幾つかの構成要素を削除してもよい。さらに、異なる実施形態にわたる構成要素を適宜組み合わせてもよい。図面は、理解しやすくするために、それぞれの構成要素を主は、図面作成の都合上から実際とは異なる。また、上記の実施形態で示す各構成要素の速度、材質、形状、寸法等は一例であって、特に限定されるものではなく、本発明の構成から実質的に逸脱しない範囲で種々の変更が可能である。
【００５４】
さらに、本発明は、本発明に係る表示制御装置の特徴的な構成手段をステップとする表示制御方法として実現したり、それらのステップを含むプログラムとして実現したりすることもできる。また、そのプログラムは、ＣＤ−ＲＯＭ等の記録媒体や通信ネットワーク等の伝送媒体を介して流通させることもできる。
【産業上の利用可能性】
【００５５】
本発明は、表示制御装置、表示制御プログラム及び表示制御方法の分野に利用可能である。
【符号の説明】
【００５６】
２      タッチパネル部
３      記憶部
４      表示制御部
２１    受付部
２２    表示部
１００  表示制御装置
２２１  スライダー
２２２  スクロールバー
２２３  第１タッチ位置
２２４  第２タッチ位置
ＷＡ，ＷＢ  指間距離
ＶＡ，ＶＢ，ＶＳ  スクロール速度
【図１】
2019160161.tif 000003
【図２】
2019160161.tif 000004
【図３】
2019160161.tif 000005
【図４】
2019160161.tif 000006
【図５】
2019160161.tif 000007
【図６】
2019160161.tif 000008
【図７】
2019160161.tif 000009